【手続補正書】
【提出日】平成20年3月31日(2008.3.31)
【手続補正１】
【補正対象書類名】特許請求の範囲
【補正対象項目名】請求項１
【補正方法】変更
【補正の内容】
【請求項１】
トラックピッチが異なる第１の光記録ディスクおよび第２の光記録ディスクに対する情報の記録および／または再生を行う光記録ディスク装置であって、レーザ光源と、光検出器と、前記レーザ光源から出射されたレーザ光を光記録ディスクに導く往路および前記光記録ディスクで反射した戻り光を光検出器に導く復路を構成する光学系と、前記光検出器での検出結果に基づいて差動プッシュプル法によりトラッキングエラー信号を生成するトラッキングエラー信号生成回路とを有し、前記光学系は、前記往路の途中位置で前記レーザ光源から出射されたレーザ光の入射領域に、当該入射領域の少なくとも中心部を含む内側回折領域と、該内側回折領域より０次光の透過率が高い外側領域とを備えた３ビーム生成用の回折素子を含み、当該回折素子により生成された３ビームは、前記第１の光記録ディスクおよび前記第２の光記録ディスクのうち、差動プッシュプル法に用いるサブプッシュプル信号の振幅が大きい第１の光記録ディスクのトラックピッチの０．２倍から０．８倍の距離、メインスポットの中心からトラッキング方向にずれた位置に中心があるサブスポットを生成することを特徴とする光記録ディスク装置。
【手続補正２】
【補正対象書類名】特許請求の範囲
【補正対象項目名】請求項２
【補正方法】変更
【補正の内容】
【請求項２】
トラックピッチが異なる第１の光記録ディスクおよび第２の光記録ディスクに対する情報の記録および／または再生を行う光記録ディスク装置であって、レーザ光源と、光検出器と、前記レーザ光源から出射されたレーザ光を光記録ディスクに導く往路および前記光記録ディスクで反射した戻り光を光検出器に導く復路を構成する光学系と、前記光検出器での検出結果に基づいて差動プッシュプル法によりトラッキングエラー信号を生成するトラッキングエラー信号生成回路とを有し、前記光学系は、前記往路の途中位置で前記レーザ光源から出射されたレーザ光の入射領域に、当該入射領域の少なくとも中心部を含む内側回折領域と、該内側回折領域より０次光の透過率が高い外側領域とを備えた３ビーム生成用の回折素子を含み、当該回折素子により生成された３ビームは、前記第１の光記録ディスクおよび前記第２の光記録ディスクのうち、トラックピッチが広い第１の光記録ディスクのトラックピッチの０．２倍から０．８倍の距離、メインスポットの中心からトラッキング方向にずれた位置に中心があるサブスポットを生成することを特徴とする光記録ディスク装置。
【手続補正３】
【補正対象書類名】特許請求の範囲
【補正対象項目名】請求項３
【補正方法】変更
【補正の内容】
【請求項３】
請求項１または２において、前記回折素子により生成された３ビームは、前記第１の光記録ディスクのトラックピッチの０．５倍の距離、メインスポットの中心からトラッキング方向にずれた位置に中心があるサブスポットを生成することを特徴とする光記録ディスク装置。
【手続補正４】
【補正対象書類名】特許請求の範囲
【補正対象項目名】請求項４
【補正方法】変更
【補正の内容】
【請求項４】
請求項１または２において、前記回折素子により生成された３ビームは、前記第１の光記録ディスクのトラックピッチの０．２５倍または０．７５倍の距離、メインスポットの中心からトラッキング方向にずれた位置に中心があるサブスポットを生成することを特徴とする光記録ディスク装置。
【手続補正５】
【補正対象書類名】明細書
【補正対象項目名】０００９
【補正方法】変更
【補正の内容】
【０００９】
上記課題を解決するために、本発明では、トラックピッチが異なる第１の光記録ディスクおよび第２の光記録ディスクに対する情報の記録および／または再生を行う光記録ディスク装置であって、レーザ光源と、光検出器と、前記レーザ光源から出射されたレーザ光を光記録ディスクに導く往路および前記光記録ディスクで反射した戻り光を光検出器に導く復路を構成する光学系と、前記光検出器での検出結果に基づいて差動プッシュプル法によりトラッキングエラー信号を生成するトラッキングエラー信号生成回路とを有し、前記光学系は、前記往路の途中位置で前記レーザ光源から出射されたレーザ光の入射領域に、当該入射領域の少なくとも中心部を含む内側回折領域と、該内側回折領域より０次光の透過率が高い外側領域とを備えた３ビーム生成用の回折素子を含み、当該回折素子により生成された３ビームは、前記第１の光記録ディスクおよび前記第２の光記録ディスクのうち、差動プッシュプル法（ＤＰＰ法）に用いるサブプッシュプル信号（ＳＰＰ信号）の振幅が大きい第１の光記録ディスクのトラックピッチの０．２倍から０．８倍の距離、メインスポットの中心からトラッキング方向にずれた位置に中心があるサブスポット
【手続補正６】
【補正対象書類名】明細書
【補正対象項目名】００１０
【補正方法】変更
【補正の内容】
【００１０】
本発明を適用した回折素子は、レーザ光の入射領域に、当該入射領域の少なくとも中心部を含む内側回折領域と、該内側回折領域よりも０次光の透過率が高い高透過率領域とを備えているため、０次光からなるメインビーム、および回折光からなるサブビームを形成した際、レーザ光束の中心が回折されて、中央領域が低下した分、０次光の強度分布は、ピーク形状の裾野が相対的に底上げされた形状になる。このため、対物レンズに入射する０次光については、ＮＡを大きくしたのと同様な効果を得ることができるので、光記録ディスクのトラック上にメインビームを集光させた際、スポット径を小さくすることができる。また、サブスポットの径が拡大されるため、サブスポットは、複数のトラックに跨るように生成されるので、そのサブスポットの位置がトラッキング方向においていずれの位置にあっても、ＤＰＰ法によりトラッキングエラー信号を好適に得ることができる。但し、トラックピッチが異なる第１の光記録ディスクおよび第２の光記録ディスクに対する情報の記録および／または再生を行う場合、一方の光記録ディスクに対して光学素子の位置などを最適化すると他方の光記録ディスクに形成されるサブスポットの位置が不適切になる。そこで、本発明では、ＤＰＰ法に用いるＳＰＰ信号の振幅が大きい第１の光記録ディスクを基準にしてメインスポットとサブスポットの相対位置を規定しているため、第１の光記録ディスクおよび第２の光記録ディスクのいずれに対してもトラッキングエラー信号を正確に生成することができる。
【手続補正７】
【補正対象書類名】明細書
【補正対象項目名】００１１
【補正方法】変更
【補正の内容】
【００１１】
また、本発明をトラックピッチの観点から規定すると以下の構成となる。すなわち、本発明では、トラックピッチが異なる第１の光記録ディスクおよび第２の光記録ディスクに対する情報の記録および／または再生を行う光記録ディスク装置であって、レーザ光源と、光検出器と、前記レーザ光源から出射されたレーザ光を光記録ディスクに導く往路および前記光記録ディスクで反射した戻り光を光検出器に導く復路を構成する光学系と、前記光検出器での検出結果に基づいて差動プッシュプル法によりトラッキングエラー信号を生成するトラッキングエラー信号生成回路とを有し、前記光学系は、前記往路の途中位置で前記レーザ光源から出射されたレーザ光の入射領域に、当該入射領域の少なくとも中心部を含む内側回折領域と、該内側回折領域より０次光の透過率が高い外側領域とを備えた３ビーム生成用の回折素子を含み、当該回折素子により生成された３ビームは、前記第１の光記録ディスクおよび前記第２の光記録ディスクのうち、トラックピッチが広い第１の光記録ディスクのトラックピッチの０．２倍から０．８倍の距離、メインスポットの中心からトラッキング方向にずれた位置に中心があるサブスポットを生成することを特徴とする。
【手続補正８】
【補正対象書類名】明細書
【補正対象項目名】００１２
【補正方法】変更
【補正の内容】
【００１２】
本発明を適用した回折素子は、レーザ光の入射領域に、当該入射領域の少なくとも中心部を含む内側回折領域と、該内側回折領域よりも０次光の透過率が高い高透過率領域とを備えているため、０次光からなるメインビーム、および回折光からなるサブビームを形成した際、レーザ光束の中心が回折されて、中央領域が低下した分、０次光の強度分布は、ピーク形状の裾野が相対的に底上げされた形状になる。このため、対物レンズに入射する０次光については、ＮＡを大きくしたのと同様な効果を得ることができるので、光記録ディスクのトラック上にメインビームを集光させた際、スポット径を小さくすることができる。また、サブスポットの径が拡大されるため、サブスポットは、複数のトラックに跨るように生成されるので、そのサブスポットの位置がトラッキング方向においていずれの位置にあっても、ＤＰＰ法によりトラッキングエラー信号を好適に得ることができる。但し、トラックピッチが異なる第１の光記録ディスクおよび第２の光記録ディスクに対する情報の記録および／または再生を行う場合、一方の光記録ディスクに対して光学素子の位置などを最適化すると他方の光記録ディスクに形成されるサブスポットの位置が不適切になる。そこで、本発明では、トラックピッチが大きい第１の光記録ディスクを基準にしてメインスポットとサブスポットの相対位置を規定しているため、第１の光記録ディスクおよび第２の光記録ディスクのいずれに対してもトラッキングエラー信号を正確に生成することができる。
【手続補正９】
【補正対象書類名】明細書
【補正対象項目名】００１４
【補正方法】変更
【補正の内容】
【００１４】
本発明において、前記回折素子により生成された３ビームは、前記第１の光記録ディスクのトラックピッチの０．５倍の距離、メインスポットの中心からトラッキング方向にずれた位置に中心があるサブスポットを生成することが好ましい。
【手続補正１０】
【補正対象書類名】明細書
【補正対象項目名】００１５
【補正方法】変更
【補正の内容】
【００１５】
本発明において、前記回折素子により生成された３ビームは、前記第１の光記録ディスクのトラックピッチの０．２５倍または０．７５倍の距離、メインスポットの中心からトラッキング方向にずれた位置に中心があるサブスポットを生成することが好ましい。
【手続補正１１】
【補正対象書類名】明細書
【補正対象項目名】００３１
【補正方法】変更
【補正の内容】
【００３１】
（サブスポット位置の設定例１）
図６（ａ）、（ｂ）はそれぞれ、本形態の光記録ディスク装置においてＤＶＤ系の光記録ディスク１１上にスポットを形成した様子を示す説明図、およびＣＤ系の光記録ディスク１２上にスポットを形成した様子を示す説明図である。図７（ａ）、（ｂ）は各々、本形態の光記録ディスク装置において図６（ａ）、（ｂ）に示す構成を採用したときに得られるＭＰＰ信号、ＥＰＰ信号、ＦＰＰ信号、ＳＰＰ信号、ＤＰＰ信号の波形図である。なお、本例は、ＣＤ系の光記録ディスク１１およびＤＶＤ系の光記録ディスク１２のうち、差動プッシュプル法に用いるサブッシュプル信号の振幅が大きいＣＤ系の光記録ディスク１１のトラックピッチの０．５倍の距離、メインスポットの中心からトラッキング方向にずれた位置にサブスポットの中心がある例、例えば、ＣＤ系の光記録ディスク１１およびＤＶＤ系の光記録ディスク１２のうち、トラックピッチが広いＣＤ系の光記録ディスク１１のトラックピッチの０．５倍の距離、メインスポットの中心からトラッキング方向にずれた位置にサブスポットの中心がある例に相当する。
【手続補正１２】
【補正対象書類名】明細書
【補正対象項目名】００３３
【補正方法】変更
【補正の内容】
【００３３】
そこで、本形態では、サブスポット＋ＬＳ、−ＬＳの位置については、図６（ｂ）に示すように、ＣＤ光記録ディスク１１のトラックピッチの０．５倍の距離、メインスポットＬＭの中心からトラッキング方向にずれた位置にサブスポット＋ＬＳ、−ＬＳの中心が位置するように光学系を構成する。従って、図７（ａ）に示すように、ＤＶＤ系の光記録ディスク１２では、複数のトラックに跨るようにサブスポット＋ＬＳ、−ＬＳが生成されるので、そのサブスポット＋ＬＳ、−ＬＳの位置がトラッキング方向においていずれの位置にあっても、ＤＰＰ法によりトラッキングエラー信号を好適に得ることができる。一方、ＣＤ系の光記録ディスク１１では、通常のＤＰＰ法と同様、ＣＤ光記録ディスク１１のトラックピッチの０．５倍の距離、メインスポットＬＭの中心からトラッキング方向にずれた位置にサブスポット＋ＬＳ、−ＬＳの中心があるので、ＤＰＰ法によりトラッキングエラー信号（ＤＰＰ信号）を好適に得ることができる。また、本形態では、ＳＰＰ信号がある程度以上の振幅をもっているので、かかるＳＰＰ信号を他の制御に用いることもできる。
【手続補正１３】
【補正対象書類名】明細書
【補正対象項目名】００３４
【補正方法】変更
【補正の内容】
【００３４】
（サブスポット位置の設定例２）
図８（ａ）、（ｂ）はそれぞれ、別の条件で光記録ディスク装置においてＤＶＤ系の光記録ディスク１１上にスポットを形成した様子を示す説明図、およびＣＤ系の光記録ディスク１２上にスポットを形成した様子を示す説明図である。図９（ａ）、（ｂ）は各々、本形態の光記録ディスク装置において図８（ａ）、（ｂ）に示す構成を採用したときに得られるＭＰＰ信号、ＥＰＰ信号、ＦＰＰ信号、ＳＰＰ信号、ＤＰＰ信号の波形図である。なお、本例は、ＣＤ系の光記録ディスク１１およびＤＶＤ系の光記録ディスク１２のうち、差動プッシュプル法に用いるサブッシュプル信号の振幅が大きいＣＤ系の光記録ディスク１１のトラックピッチの０．５倍の距離、メインスポットの中心からトラッキング方向にずれた位置にサブスポットの中心がある例、例えば、ＣＤ系の光記録ディスク１１およびＤＶＤ系の光記録ディスク１２のうち、トラックピッチが広いＣＤ系の光記録ディスク１１のトラックピッチの０．２５倍の距離、メインスポットの中心からトラッキング方向にずれた位置にサブスポットの中心がある例に相当する。
【手続補正１４】
【補正対象書類名】明細書
【補正対象項目名】００３６
【補正方法】変更
【補正の内容】
【００３６】
そこで、本形態では、サブスポット＋ＬＳ、−ＬＳの位置については、図８（ｂ）に示すように、ＣＤ光記録ディスク１１のトラックピッチの０．２５倍の距離、メインスポットＬＭの中心からトラッキング方向にずれた位置にサブスポット＋ＬＳ、−ＬＳの中心が位置するように光学系を構成する。従って、図９（ａ）に示すように、ＤＶＤ系の光記録ディスク１２では、複数のトラックに跨るようにサブスポット＋ＬＳ、−ＬＳが生成されるので、そのサブスポット＋ＬＳ、−ＬＳの位置がトラッキング方向においていずれの位置にあっても、ＤＰＰ法によりトラッキングエラー信号を好適に得ることができる。
【手続補正１５】
【補正対象書類名】明細書
【補正対象項目名】００３８
【補正方法】変更
【補正の内容】
【００３８】
（サブスポット位置の他の設定例）
図１０は、本発明の実施の形態１に係る光記録ディスク装置においてＣＤのトラックピッチの０．７５倍の距離、メインスポットの中心とサブスポットの中心とをトラッキング方向でずらしたときにＣＤ系の光記録ディスクから得られるＭＰＰ信号、ＥＰＰ信号、ＦＰＰ信号、ＳＰＰ信号、ＤＰＰ信号の波形図である。図１１（ａ）、（ｂ）は各々、本発明の参考例に係る光記録ディスク装置においてＣＤのトラックピッチの０倍および１倍の距離、メインスポットの中心とサブスポットの中心とをトラッキング方向でずらしたときにＣＤ系の光記録ディスクから得られるＭＰＰ信号、ＥＰＰ信号、ＦＰＰ信号、ＳＰＰ信号、ＤＰＰ信号の波形図である。
【手続補正１６】
【補正対象書類名】明細書
【補正対象項目名】００３９
【補正方法】変更
【補正の内容】
【００３９】
実施の形態１、２では、メインスポットの中心とサブスポットの中心とをＣＤ系の光記録ディスク１２のトラックピッチの０．５倍あるいは０．２５倍の距離、トラッキング方向でずらしたが、図１０に示すように、メインスポットの中心とサブスポットの中心とをトラッキング方向でＣＤ系の光記録ディスク１２のトラックピッチの０．７５倍の距離、ずらした場合でも、実施の形態２と略同等の結果を得ることができる。
【手続補正１７】
【補正対象書類名】明細書
【補正対象項目名】００４６
【補正方法】変更
【補正の内容】
【００４６】
本形態では、ＤＶＤ系の光記録ディスク１２の情報の記録および／または再生を行うが、同じＤＶＤ系でも、ＤＶＤ−ＲＡＭではトラックピッチが１．３０μｍ（ランド０．６１５μｍ＋グルーブ０．６１５μｍ）であり、ＤＶＤ±Ｒではトラックピッチが０．７４μｍであり、ＤＶＤ−ＲＡＭとＤＶＤ±Ｒとではトラックピッチが相違している。従って、トラックピッチが狭いＤＶＤ±Ｒでは、複数のトラックに跨るように生成されるので、そのサブスポット＋ＬＳ、−ＬＳの位置がトラッキング方向においていずれの位置にあっても、ＤＰＰ法によりトラッキングエラー信号を好適に得ることができる。但し、ＤＶＤ−ＲＡＭの場合、トラックピッチが広いので、サブビーム＋ＬＳ、−ＬＳが複数のトラックに跨るように生成されず、かつ、その位置によっては、ＤＰＰ法によりトラッキングエラー信号を生成しようとした際、ＤＶＤ±Ｒに比してＳＰＰ信号の振幅が大きく、適正なＤＰＰ信号が得られないことになる。それ故、この種の光記録ディスク装置１では、トラックピッチが大きなＤＶＤ−ＲＡＭを基準にメインスポットとサブスポットの相対位置を規定すればよい。すなわち、トラックピッチが広いＤＶＤ−ＲＡＭのトラックピッチの０．２５倍あるいは０．５倍の距離、メインスポットの中心からトラッキング方向にずれた位置にサブスポットの中心が位置するように光学系を構成すればよい。
【手続補正１８】
【補正対象書類名】明細書
【補正対象項目名】００４７
【補正方法】変更
【補正の内容】
【００４７】
【図１】本発明の実施の形態１に係る光記録ディスク装置の要部の構成を模式的に示す説明図である。
【図２】（ａ）、（ｂ）、（ｃ）はそれぞれ、本発明で用いた回折素子の平面図、その回折素子に形成した回折格子の斜視図、および溝部の長さ方向に沿って回折素子を切断したときの断面図である。
【図３】本発明で用いた回折素子を透過前後における０次光の光強度分布の変化を示す説明図である。
【図４】（ａ）、（ｂ）はそれぞれ、従来の光記録ディスク装置において光記録ディスク上にスポットを形成した様子を示す説明図、および本発明を適用した光記録ディスク装置において光記録ディスク上にスポットを形成した様子を示す説明図である。
【図５】ＤＰＰ法の説明図である。
【図６】（ａ）、（ｂ）はそれぞれ、本発明の実施の形態１に係る光記録ディスク装置において、ＣＤのトラックピッチの０．５倍の距離、メインスポットの中心とサブスポットの中心とをずらした状態でＤＶＤ系の光記録ディスク上にスポットを形成した様子を示す説明図、およびＣＤ系の光記録ディスク上にスポットを形成した様子を示す説明図である。
【図７】（ａ）、（ｂ）はそれぞれ、本発明の実施の形態１に係る光記録ディスク装置においてＣＤのトラックピッチの０．５倍の距離、メインスポットの中心とサブスポットの中心とをずらしたときにＤＶＤ系の光記録ディスクおよびＣＤ系の光記録ディスクから得られるＭＰＰ信号、ＥＰＰ信号、ＦＰＰ信号、ＳＰＰ信号、ＤＰＰ信号の波形図である。
【図８】（ａ）、（ｂ）はそれぞれ、本発明の実施の形態１に係る光記録ディスク装置においてＣＤのトラックピッチの０．２５倍の距離、メインスポットの中心とサブスポットの中心とをずらした状態でＤＶＤ系の光記録ディスク上にスポットを形成した様子を示す説明図、およびＣＤ系の光記録ディスク上にスポットを形成した様子を示す説明図である。
【図９】（ａ）、（ｂ）はそれぞれ、本発明の実施の形態１に係る光記録ディスク装置においてＣＤのトラックピッチの０．２５倍の距離、メインスポットの中心とサブスポットの中心とをずらしたときにＤＶＤ系の光記録ディスクおよびＣＤ系の光記録ディスクから得られるＭＰＰ信号、ＥＰＰ信号、ＦＰＰ信号、ＳＰＰ信号、ＤＰＰ信号の波形図である。
【図１０】本発明の実施の形態１に係る光記録ディスク装置においてＣＤのトラックピッチの０．７５倍の距離、メインスポットの中心とサブスポットの中心とをずらしたときにＣＤ系の光記録ディスクから得られるＭＰＰ信号、ＥＰＰ信号、ＦＰＰ信号、ＳＰＰ信号、ＤＰＰ信号の波形図である。
【図１１】（ａ）、（ｂ）は各々、本発明の参考例に係る光記録ディスク装置においてＣＤのトラックピッチの０倍および１倍の距離、メインスポットの中心とサブスポットの中心とをずらしたときにＣＤ系の光記録ディスクから得られるＭＰＰ信号、ＥＰＰ信号、ＦＰＰ信号、ＳＰＰ信号、ＤＰＰ信号の波形図である。
【図１２】（ａ）、（ｂ）はそれぞれ、本発明の実施の形態２に係る光記録ディスクで用いられた回折素子の平面図、および溝部の長さ方向に沿って回折素子を切断したときの断面図である。
【図１３】（ａ）、（ｂ）はそれぞれ、本発明の実施の形態３に係る光記録ディスクで用いられた回折素子の平面図、および溝部の長さ方向に沿って回折素子を切断したときの断面図である。
【図１４】本発明の実施の形態５に係る光記録ディスク装置の要部の構成を模式的に示す説明図である。